(57)【要約】  （課題）ケージとモジュールの係止解除を係止ピンと係止孔との挿通により行う構成において、把手が収容位置に有るときに係止ピンを変位させる舌片が不安定な状態となるため、係止状態が不安定となる。  （解決手段）把手が収容状態にあるときは舌片の変位を規制するとともに、把手が回動することにより舌片が変位する構成とする。たとえば、舌片に切り欠きを設け、把手の回転軸を中心とした円周上に切り欠きと接する押圧部を把手に設けるとともに、把手の回転軸付近にカム構造を設ける。
2007046381.tif 000002
【特許請求の範囲】
【請求項１】
ケージとモジュールの係止解除を行う舌片に切り欠きを設け、把手の回転軸を中心とした円周上に切り欠きと接する押圧部を把手に設けるとともに、把手の回転軸付近にカム構造を設けたモジュール。
【請求項２】
ケージに対して挿脱可能なモジュールであって、
前記ケージに前記モジュールが挿入された状態で、前記ケージに設けられた係止孔に挿通することにより前記ケージと前記モジュールを係止する係止ピンと、
前記係止ピンと接続され、前記係止ピンが前記係止孔から解止される方向に変位可能である舌片と、
前記ケージに前記モジュールが挿入された状態では前記舌片の変位を規制し、回転軸を中心に回動することにより前記舌片の変位の規制を解除するとともに、前記回転軸付近に設けられたカム構造により前記舌片を付勢し、前記係止ピンと前記係止孔との挿通による前記ケージと前記モジュールの係止が解除される状態まで前記舌片を付勢可能である把手と、
を備えたモジュール。
【発明の詳細な説明】
【技術分野】
【０００１】
本発明は、電気信号または光信号の入力や出力を行う通信装置のモジュール構造、特にモジュールとモジュールを収容するケージとの係止構造、および、係止の解除を行う構造に関する。
【背景技術】
【０００２】
電気信号または光信号の入力や出力を行う通信装置がモジュール化され、モジュールを収容するケージに挿着／抜脱が可能なモジュール構成が知られている。【０００３】
モジュール化される通信装置としては、例えば、電気信号を光信号に変換し送出するＥ／Ｏモジュールや、光信号を電気信号に変換し受信するＯ／Ｅモジュールがある。【０００４】
小形化を指向した光通信装置の分野では、構成要素の仕様の標準化（マルチソース化）が進められており、モジュールおよびケージの寸法や、光／電気のインターフェース部の互換性、モジュールのケージへの挿脱に関する機械的な互換性等についても、規格（ＭＳＡ；Ｍｕｌｔｉ  Ｓｏｕｒｃｅ  Ａｇｒｅｅｍｅｎｔ）が定められている。【０００５】
モジュールのケージへの挿脱機構として、モジュールの把手を収容位置から引き出し位置に回動させることにより、モジュールとケージとの係止を解除する構成が知られている。（例えば特許文献１）
図７（Ａ）〜（Ｃ）は従来の技術による、モジュール化された光通信装置の挿脱機構を斜視図で示したものである。【０００６】
図７（Ａ）はモジュール１がケージ４に収容された状態、図７（Ｂ）はモジュール１の把手３を収容位置から引き出し位置に回動（５１）し、モジュール１とケージ４との係止を解除した状態、図７（Ｃ）は把手３によりモジュール１をケージ４より抜脱した状態を示す。【０００７】
図７（Ａ）において、把手３は矢印５０の方向にコネクタ嵌合部１２１に抱かれて倒立し、収容位置にある。この状態では、ケージ４のＩ形舌片４２に設けられた係止孔４３より、モジュール１のＴ形舌片に設けられた係止ピン１２２が突出しており、モジュール１はケージ４に係止されて拘束された状態にある。【０００８】
図７（Ｂ）において、モジュール１の把手３を矢印５１の方向に回動し起立させると、把手３の回転軸３２の周囲に形成された板カム３１が矢印５６の方向に回転し、Ｔ形舌片２２が矢印５２の方向に押下される。その動作に追動してケージ４のＩ形舌片４２が下方に撓んだ結果、係止ピン１２２と係止孔４３による係止が解除され、モジュール１はケージ４による拘束が解けて抜脱可能な状態となる。【０００９】
図７（Ｃ）において、把手３を起立させたままモジュール１を矢印５３の方向に引き出せば、Ｔ形舌片２２は押下されたままである一方、Ｉ形舌片４２はＴ形舌片２２と離れると、弾性力により矢印５４の方向に戻る。
【特許文献１】特開２００５−２４９８９２号公報
【発明の開示】
【発明が解決しようとする課題】
【００１０】
マルチソース化によるモジュールの規格（ＭＳＡ）では、モジュールの高さ方向についても規定があり、把手の長さが制限される。【００１１】
図７（Ｂ）において、把手３はコネクタ嵌合部１２１に干渉しないように回動し起立する必要があるから、把手３の回転軸３２を係止ピン１２２側に寄せるには制限があり、把手３の回動によるカム動作と、係止ピン１２２と係止孔４３の係止解除動作を連携させるＴ形舌片２２の長さも、所定値よりも長くとる必要がある。【００１２】
モジュールの規格（ＭＳＡ）の制限によりＴ形舌片２２の長さを短くできないから、Ｔ形舌片が微小に変位すると、係止ピン１２２と係止孔４３による係止状態が不安定となる。【００１３】
特に、図７（Ａ）において、把手が収容位置にある状態では、係止ピン１２２と係止孔４３による係止は、主にＩ形舌片４２が弾性力により保持されているから、経年劣化等によりＴ形舌片２２が下方に変位した場合は、係止ピン１２２と係止孔４３による係止状態が不安定となる。【００１４】
本発明は、把手の回動によりモジュールとケージとの係止を解除する構成において、把手が収容位置にある場合でもモジュールとケージとの係止を確実に行うモジュールを提供することを総括的な目的とする。
【課題を解決するための手段】
【００１５】
この目的を達成するため、本発明のモジュールは、ケージとモジュールの係止解除を行う舌片に切り欠きを設け、把手の回転軸を中心とした円周上に切り欠きと接する押圧部を把手に設けるとともに、把手の回転軸付近にカム構造を設けたことを特徴とする。【００１６】
また、本発明によるモジュールは、ケージに対して挿脱可能なモジュールであって、ケージにモジュールが挿入された状態で、ケージに設けられた係止孔に挿通することによりケージとモジュールを係止する係止ピンと、係止ピンと接続され、係止ピンが係止孔から解止される方向に変位可能な舌片と、ケージにモジュールが挿入された状態では舌片の変位を規制し、回転軸を中心に回動することにより舌片の変位の規制を解除するとともに、回転軸付近に設けられたカム構造により舌片を付勢し、係止ピンと係止孔との挿通によるケージとモジュールの係止が解除される状態まで舌片を付勢可能である把手と、を備えたことを特徴とする。
【発明の効果】
【００１７】
このようなモジュールによれば、ケージとモジュールの係止解除を行う舌片に切り欠きを設け、把手の回転軸を中心とした円周上に切り欠きと接する押圧部を把手に設けるとともに、把手の回転軸付近にカム構造を設けることにより、把手が収容位置にあるときにのみ舌片を確実に保持することができる。
【図面の簡単な説明】
【００１８】
【図１】本発明による光モジュールの斜視図である。
【図２】ケージとモジュールの係止について示す図である。
【図３】把手が収納状態のときのハウジング舌片および把手の位置関係を示す図である。
【図４】把手を回動させたときのハウジング舌片および把手の位置関係を示す図である。
【図５】押圧部、接触部、回転軸との関係を示す図である。
【図６】把手の回動を連続的に示す図である。
【図７】従来技術の説明図である。
【発明を実施するための最良の形態】
【００１９】
以下、図面に基づいて本発明の実施形態について説明する。【００２０】
図１に本発明による光モジュールの斜視図を示す。図１（Ａ）に把手３が収容され、ケージ４とモジュール１が係止されている状態を、図１（Ｂ）に把手３が回動され、ケージ４とモジュール１の係止が解除された状態を示す。【００２１】
図１（Ａ）において、ケージ４は仰角方向に変位可能なケージ舌片４４を有し、ケージ舌片には係止孔４５を有する。またモジュール１は係止ピン１２２を有し、係止ピン１２２がハウジング舌片２２の逃げ孔２３およびケージ４の係止孔４３を挿通することにより、モジュール１とケージ４が係止状態となる。ハウジング舌片２２は把手３の板カム３１に接している。また、把手３は、回転軸３２をはさんで板カム３１と相対する位置に、押圧部３３を有する。押圧部３３については後述する。【００２２】
図１（Ｂ）のように、把手３を回動させ起立した状態になると、板カム３１が作動してハウジング舌片２２を仰角方向に付勢する。その結果、ケージ舌片４４が追動して仰角方向に付勢され、係止ピン１２２が逃げ孔２３と係止孔４３から解止され、モジュール１をケージ４から引き出して抜き取ることができるようになる。なお、把手３の回動は、コネクタ嵌合部１２１のストッパ１２４により先に進まないように規制される。【００２３】
図２は、本発明による光モジュールのケージ４とモジュール１の係止に関連する部材についての詳細を示した図であり、図２（Ａ）に把手３が収納状態であるときの側面図を、図２（Ｄ）に把手３の側面図を、図２（Ｂ）にハウジング舌片２２がモジュール１に把手とともに装着された状態の下面図を、図２（Ｃ）にハウジング舌片２２の下面図を示す。【００２４】
図２（Ａ）においては、把手３が収納状態であり、ハウジング舌片２２は、板カム３１により仰角方向には付勢されていない一方、切り欠き部２４において押圧部３３より長手方向、すなわち、図２（Ａ）の左手方向に力を受けている。【００２５】
図２（Ｂ）を参照すると、ハウジング舌片２４は逃げ孔２３を有し、モジュール１の係止ピン１２２を挿通している。ここで、ハウジング舌片２２は、押圧部３３に接触部３４で接し長手方向の力を受ける切り欠き部２４を有している。【００２６】
切り欠き部２４は、把手が回動する際も押圧部と干渉せず、かつ、把手３の収納状態において接触部３４より長手方向の力を受ける位置および大きさの切り欠きである。【００２７】
図２（Ｃ）を参照すると、ハウジング舌片２２には逃げ孔２３が形成されており、ハウジング舌片２２が仰角方向に変位していないときは係止ピン１２２が逃げ孔２３および係止孔４３を挿通してケージ４とモジュール１を係止する一方、ハウジング舌片２２が仰角方向に変位することにより、ケージ舌片４４を付勢し、係止ピン１２２が逃げ孔２３と係止孔４３から解止される。【００２８】
図２（Ｄ）を参照すると、押圧部３３は、把手の回動時に内壁と干渉せず、かつ、ハウジング舌片２２と接触部３４でのみ接触する形状である。【００２９】
次に、把手３の回動による、ハウジング舌片２２および把手３の動作について説明する。【００３０】
図３（Ａ）は、本発明による光モジュールにおいて、把手３が収納状態のときの、ハウジング舌片２２および把手３の位置関係を示した図であり、図５は、押圧部３３と接触部３４、回転軸３２との関係を示す図である。【００３１】
ハウジング舌片２２は、板カム３１により仰角方向には付勢されていない一方、切り欠き部２４において押圧部３３より長手方向、すなわち、図３（Ａ）の左手方向に力を受けており、把手３が回動されていない状態では、ハウジング舌片は把手３の押圧部３３によりケージ舌片４４の仰角方向への変位が規制されている。【００３２】
ここで、接触部３４は、図５に示されるように、回転軸３２を中心とした円周上に形成されており、把手３とハウジング舌片２２の切り欠き部２４との接触も、接触部３４の形成された円周上にある。【００３３】
把手３が僅かな角度回動すると、図３（Ｂ）に示されるように、押圧部３３は、回転軸３２を中心として回動するとともに、ハウジング舌片２２は、板カム３１により仰角方向に変位するから、ハウジング舌片２２の切り欠き部２４と、押圧部３３の接触部３４とは離間し、押圧部３３によるハウジング舌片の規制が無くなる。【００３４】
すなわち、把手３の回動により、押圧部３３の回動による規制の解除と板カム３１によるハウジング舌片２２への付勢が同時に生じるので、ハウジング舌片と把手とは接触および押圧を行わなくなる。【００３５】
図４（Ａ）は、図３に示された状態よりもさらに把手３を回動させた状態のときのハウジング舌片および把手の位置関係を示す図であり、押圧部３３がハウジング舌片２２と完全に離れるとともに、係止ピン１２２の逃げ孔２３および係止孔４３における挿通状態が浅くなる。【００３６】
図４（Ｂ）は、把手３を９０度回動させ、ストッパ１２４で止められた状態のときのハウジング舌片および把手の位置関係を示す図であり、係止ピン１２２は、逃げ孔２３および係止孔４３から外れた解止状態となり、ケージ４とモジュール１の係止が解除され、抜脱が可能な状態となる。【００３７】
図６は、把手３の回動を連続的に示した図であり、上述したように、接触部３４が回転軸３２を中心とした円周上に形成され、把手３の回転とともに、押圧部３３の回転および板カム３１による付勢が同時に生じるので、ハウジング舌片と把手とは接触および押圧を行わなくなる。【００３８】
以上説明したように、本願発明による光モジュールでは、ケージとモジュールの係止解除を行う舌片に切り欠きを設け、把手の回転軸を中心とした円周上に切り欠きと接する押圧部を把手に設けるとともに、把手の回転軸付近にカム構造を設けることにより、把手が収容位置にあるときにのみ舌片を確実に保持するとともに、把手の回動により係止解除を確実に行うことができるから、確実な挿着および抜脱が可能となる。【００３９】
上述したハウジングに設ける舌片やケージに設ける舌片は、弾性を持たせるために一体構成に限定するものではなく、形状に対しても種々の変形が可能である。【００４０】
また、係止ピンと係止孔との関係は、嵌合して係止されればよく、形状には種々の変形が可能である。【００４１】
本国際出願は２００５年１０月１７日に出願した日本国特許出願２００５−３０２３８６号に基づく優先権を主張するものであり、２００５−３０２３８６号の全内容を本国際出願に援用する。
【図１】
2007046381.tif 000003
【図２】
2007046381.tif 000004
【図３】
2007046381.tif 000005
【図４】
2007046381.tif 000006
【図５】
2007046381.tif 000007
【図６】
2007046381.tif 000008
【図７】
2007046381.tif 000009
【国際調査報告】
2007046381.tif 000010
2007046381.tif 000011
2007046381.tif 000012
2007046381.tif 000013